(57)【要約】本発明は、携帯用ベッドのワンタッチ折畳みとシートの波打ち防止装置に関し、このために、支持体の一側に連結口と連結されて支え竿より長手方向に長く形成される頭支え竿と、前記支持体の他側には連結口と連結されて前記支え竿より長手方向に長く形成される脚支え竿と、上端が互いに外側方向に折り曲がるように形成された一対の腰支え竿と、前記支持体の上部にはシートが覆われ、このシートの一側の下端には前記頭支え竿が嵌め込まれる頭支え竿嵌合孔と、前記シートの他側の下端には前記脚支え竿が嵌め込まれる脚支え竿嵌合孔と、前記シートの中央の両側端には延長部が形成され、この延長部の下端には前記腰支え竿が嵌め込まれる腰支え竿嵌合孔と、が備えられてなる。前記のように構成された本願発明は、携帯用ベッドを一回の作動により広げられ、且つ折れるようにして便利に使用可能にしたことはもとより、広げられた状態のシートを波打ち無しに平らにして使用者の腰を安全に保護できるようにし、製品の品質と信頼性を大幅に向上可能にしている。
2004515297.tif 000002
【特許請求の範囲】
【請求項１】
携帯が容易であり、広げて安楽に使用可能にした携帯用折畳み式ベッドであって、
多数の連結口により多数の支え竿がＸ字状に互いに連結されて支持体が構成され、この支持体の一側には連結口と連結されて前記支え竿より長手方向に長く形成される頭支え竿と、
前記支持体の他側には連結口と連結されて前記支え竿より長手方向に長く形成される脚支え竿と、
前記支持体の中央の両側には連結口と連結されて前記支え竿より長手方向に長く形成され、上端は互いに外側方向に折り曲がるように形成された一対の腰支え竿と、
前記支持体の上部にはシートが覆われ、このシートの一側の下端には前記頭支え竿がはめ込まれる頭支え竿嵌合孔と、
前記シートの他側の下端には前記脚支え竿がはめ込まれる脚支え竿嵌合孔と、
前記シートの中央の両側端には延長部が形成され、この延長部の下端には前記腰支え竿がはめ込まれる腰支え竿嵌合孔と、
を備え、
前記支持体の適所には締結口が形成されると共に、シートの適所には締結孔が形成され、これらが互いに結合されて固設されることを特徴とする携帯用ベッドのワンタッチ折畳みとシートの波打ち防止装置。
【請求項２】
シートの一側の両端と延長部の両端との間には、紐が備えられることを特徴とする請求項１に記載の携帯用ベッドのワンタッチ折畳みとシートの波打ち防止装置。
【請求項３】
延長部の適所には、それぞれ網ポケットと布ポケットが形成されることを特徴とする請求項１に記載の携帯用ベッドのワンタッチ折畳みとシートの波打ち防止装置。
【発明の詳細な説明】
【０００１】
（技術分野）
本発明は、携帯用ベッドのワンタッチ折畳みとシートの波打ち防止装置に係り、より詳細には、携帯用ベッドを一回の作動により広げられ、且つ折れるようにして便利に使用可能にしたことはもとより、広げられた状態のシートを波打ち無しに平らにして使用者の腰を安全に保護できるようにし、製品の品質と信頼性を大幅に向上可能にしたものである。
【０００２】
（背景技術）
周知のごとく、携帯用折畳み式ベッドは、折畳み式であって、設置および撤収が簡便であり、撤収の際に体積が小さくて収納が容易なものであって、主としてオートキャンピング用として使われており、また、このほかに各種の用途として使われている。
【０００３】
かかる携帯用折畳み式ベッドは、従来にも本出願人が実用新案として先出願して登録された韓国特許第９４１６９号（公告番号第９５−６２１３号公報）公報（そのほかに韓国実用公告番号第９６−１４４号公報など）と、韓国特許出願第２０００−４４６８４号が出願されている。
【０００４】
しかしながら、前記のように、従来の携帯用折畳み式ベッドの技術は、シートを平らに引っ張る間にシートに多数の波打ち部ができ、横になっている使用者の腰が前記波打ち部により不便になるといった問題点が生じることはもとより、前記波打ち部により携帯用折畳み式ベッドの外観がきれいにならないといった問題点も生じていた。
【０００５】
さらに、従来の技術は、携帯用折畳み式ベッドを広げたり折って保管するために３ないし４回に亘っての動作を要し、これは、多数回の作動により折畳み式ベッドが広げられたり折られるため、使用上複雑であり、しかも煩わしいといった問題点が生じていた。
【０００６】
なおかつ、従来の携帯用折畳み式ベッドには、飲み物などの缶やビン、またはその他の各種の物（例えば、たばこ、携帯電話など）を入れて保管できるポケットがなく、不便であるといった問題点も生じていた。
【０００７】
（発明の開示）
本発明は、上記の如き従来の技術の諸問題点を解消するためになされたものであり、携帯用ベッドを一回の作動により広げられたり、且つ折れるようにして便利に使用可能にする携帯用ベッドのワンタッチ折畳みとシートの波打ち防止装置を提供することを第１の目的とする。
【０００８】
本発明の第２の目的は、広げられた状態のシートを波打ち無しに平らにして使用者の腰を安全に保護可能にする携帯用ベッドのワンタッチ折畳みとシートの波打ち防止装置を提供するところにある。
【０００９】
本発明の第３の目的は、シートが波打ち無しに平らに保たれて外観上きれいに見えるようにする携帯用ベッドのワンタッチ折畳みとシートの波打ち防止装置を提供するところにある。
【００１０】
本発明の第４の目的は、携帯用折畳み式ベッドの適所に飲み物などの缶やビン、またはその他の各種の物（例えば、たばこ、携帯電話など）を入れて保管できるポケットを備えて使い勝手のよさを増大可能にする携帯用ベッドのワンタッチ折畳みとシートの波打ち防止装置を提供するところにある。
【００１１】
本発明の第５の目的は、これにより製品の品質と信頼性を大幅に向上可能にする携帯用ベッドのワンタッチ折畳みとシートの波打ち防止装置を提供するところにある。
【００１２】
かかる目的を達成するために、本発明は、多数の連結口により多数の支え竿がＸ字状に互いに連結されて支持体が構成され、この支持体の一側には連結口と連結されて前記支え竿より長手方向に長く形成される頭支え竿と、前記支持体の他側には連結口と連結されて前記支え竿より長手方向に長く形成される脚支え竿と、前記支持体の中央の両側には連結口と連結されて前記支え竿より長手方向に長く形成され、上端は互いに外側方向に折り曲がるように形成された一対の腰支え竿と、前記支持体の上部にはシートが覆われ、このシートの一側の下端には前記頭支え竿がはめ込まれる頭支え竿嵌合孔と、前記シートの他側の下端には前記脚支え竿がはめ込まれる脚支え竿嵌合孔と、前記シートの中央の両側端には延長部が形成され、この延長部の下端には前記腰支え竿がはめ込まれる腰支え竿嵌合孔と、を備え、前記支持体の適所には締結口が形成されると共に、シートの適所には締結孔が形成され、これらが互いに結合されて固設されることを特徴とする携帯用ベッドのワンタッチ折畳みとシートの波打ち防止装置を提供する。
【００１３】
（発明を実施するための最良の態様）
以下、かかる目的を達成するための本発明の好適な実施形態を添付した図面に基づいて詳細に説明する。
【００１４】
本発明に適用された携帯用ベッドのワンタッチ折畳みとシートの波打ち防止装置は、図１ないし図３に示されたように構成される。
すなわち、多数の連結口２により多数の支え竿３がＸ字状に互いに連結されて支持体１が構成され、この支持体１の一側には連結口２と連結されて前記支え竿３より長手方向に長く形成される頭支え竿１０が備えられる。
【００１５】
この時、前記支持体の他側には、連結口２と連結されて前記支え竿３より長手方向に長く形成される脚支え竿２０が備えられる。
また、前記支持体１の中央の両側には、連結口２と連結されて前記支え竿３より長手方向に長く形成され、上端は互いに外側方向に折り曲がるように形成された一対の腰支え竿３０が備えられる。
【００１６】
ここで、符号５０は、前記支持体１の上部に覆われるシートであって、このシート５０の一側の下端には前記頭支え竿１０がはめ込まれる頭支え竿嵌合孔６０が形成される。
さらに、前記シート５０の他側の下端には前記脚支え竿２０がはめ込まれる脚支え竿嵌合孔７０が形成されると共に、前記シート５０の中央の両側端には延長部５１が形成され、この延長部５１の下端には前記腰支え竿３０がはめ込まれる腰支え竿嵌合孔８０が形成される。
【００１７】
そして、前記シート５０の一側の両端と延長部５１の両端との間には紐５２が備えられ、前記延長部５１の適所にはそれぞれ網ポケット９０と布ポケット９１が形成される。
【００１８】
一方、前記支持体１の適所には締結口４０が形成されると共に、シート５０の適所には締結孔５３が形成され、これらが互いに結合されて固設される。
前記のように構成された本願携帯用ベッドのワンタッチ折畳みとシートの波打ち防止装置の作用は、下記の通りである。
【００１９】
まず、図１に示されたように、支持体１の締結口４０の上端にシート５０の締結孔５３を結合した後、別途の仕上げ固定部材（図示せず）を用いて前記シート５０を支持体１に固設する。そして、このとき、前記支持体１の一側の頭支え竿１０はシートの一側の下端に形成された頭支え竿嵌合孔６０にはめ込み、支持体１の他側の脚支え竿２０はシートの他側の下端に形成された脚支え竿嵌合孔７０にはめ込むと共に、前記支持体１の中央に形成された腰支え竿３０はシート５０の延長部５１の下端に形成された腰支え竿嵌合孔８０にはめ込む。前記のように支持体１の上端にシート５０が覆われれば、図２に示されたように、携帯用折畳み式ベッドが完成される。
【００２０】
前記のように広げられた状態の携帯用ベッドは、使用者が既存のベッドより一層便利に使用可能になる。
すなわち、本発明は、腰支え竿３０が腰支え竿嵌合孔８０にはめ込まれた状態で支持体１の広がりにより腰支え竿３０が両側に広がる。この時、腰支え竿嵌合孔８０は延長部５１を引っ張り、この延長部５１はシート５０の中央部を外側に引っ張ることにより、シート５０を波打ちなしに平らにする。また、使用者が前記携帯用ベッドを広げた状態でシート５０の上に横になった時、シート５０の一側端と延長部５１との間に繋がった紐５２は前記延長部５１を外側の対角線方向に引っ張るため、前記シート５０は平らな状態を保ち、使用者は波打ち無しに平らな携帯用ベッドが使用でき、使用者の腰が保護される。
【００２１】
一方、本発明は、延長部５１に網ポケット９０と布ポケット９１が備えられてその使い勝手のよさを一層高めている。
すなわち、使用者が携帯用ベッドに横になった状態で飲み物や酒などを飲むとき、しばらくの間前記網ポケット９０に飲み物や酒などの缶またはビンを入れておくことにより便利に使用可能になり、また、前記布ポケット９１には使用者の財布や携帯電話などを収納して持ち物の紛失を防止することができる。
【００２２】
本発明は、特に、携帯用ベッドを一回の作動により広げられ、且つ折れるようにしてその使い勝手のよさを一層高めている。
すなわち、図２に示されたように、携帯用ベッドが広げられた状態で使用者が携帯用ベッドの両端を手に取って内側に押せば、Ｘ字状に広がった多数の支え竿３は互いに寄せ付けられつつ支持体１が折り畳まれ、図３に示されたように、一回の動作により携帯用ベッドが折られる。
【００２３】
前記のように折られた携帯用ベッドを再び使用するときには、前記作動の逆順、すなわち、携帯用ベッドの両端を手に取った状態で両側に引っ張れば、前記支持体１が広がり、一回の作動により携帯用ベッドを広げて使用することができる。
【００２４】
（産業上の利用可能性）
以上のように、本発明に係る携帯用ベッドのワンタッチ折畳みとシートの波打ち防止装置は、携帯用ベッドを一回の作動により広げられ、且つ折れるようにして便利に使用可能にし、広げられた状態のシートを波打ち無しに平らにして使用者の腰を安全に保護可能にすると共に、シートが波打ち無しに平らに保たれて外観上きれいに見えるようにしている。また、携帯用折畳み式ベッドの適所に飲み物などの缶やビン、またはその他の物（例えば、たばこ、携帯電話）などを入れて保管できるポケットを備えて使い勝手のよさを高めることにより、製品の品質と信頼性を大幅に向上可能にした極めて有用な発明である。
【図面の簡単な説明】
【図１】
図１は、本発明に適用された携帯用ベッドのワンタッチ折畳みとシートの波打ち防止装置を示す分解斜視図である。
【図２】
図２は、本発明に適用された携帯用ベッドのワンタッチ折畳みとシートの波打ち防止装置を示す結合状態の斜視図である。
【図３】
図３は、本発明に適用された携帯用ベッドのワンタッチ折畳みとシートの波打ち防止装置を示す折畳み状態の斜視図である。
【国際公開パンフレット】
2004515297.tif 000003
2004515297.tif 000004
2004515297.tif 000005
2004515297.tif 000006
2004515297.tif 000007
2004515297.tif 000008
2004515297.tif 000009
2004515297.tif 000010
2004515297.tif 000011
2004515297.tif 000012
2004515297.tif 000013
2004515297.tif 000014
【国際調査報告】
2004515297.tif 000015
2004515297.tif 000016
2004515297.tif 000017